(57)【特許請求の範囲】
【請求項１】
直流電圧を交流電圧に変換する電圧変換部と、
前記電圧変換部により変換された前記交流電圧から、放電灯を点灯開始させる電圧を発生させる共振回路を有する共振部と、
前記共振部の共振状態を検出する共振状態検出部と、
前記共振状態検出部により検出された前記共振状態に基づいて前記共振状態が共振ピークであるか否かを判定するピーク判定部と、
記憶部に記憶された周波数に基づいて、前記放電灯を点灯開始させる際の前記交流電圧の周波数を所定の周波数間隔の複数のステップの中から選択して制御する周波数制御部と、
を備え、
前記周波数制御部は、
前記放電灯を点灯開始させる際の前記交流電圧の周波数を、前記記憶部に記憶された周波数に制御した場合において前記共振状態が共振ピークとならなかった場合、複数ステップ変更する毎に、当該制御した周波数に対して高い周波数と低い周波数とを交互に繰り返えすように順次変更する
ことを特徴とする点灯装置。
【請求項２】
前記周波数制御部は、
前記放電灯を点灯開始させる際の前記交流電圧の周波数を、前記記憶部に記憶された周波数に制御した場合において前記共振状態が共振ピークとならなかった場合、当該制御した周波数に対して高い周波数または低い周波数において、当該制御した周波数に対して近い周波数から遠い周波数になるように順次変更する
ことを特徴とする請求項１に記載の点灯装置。
【請求項３】
前記共振状態検出部は、
前記共振状態として、前記共振部において発生した電圧および電流の何れかを検出する
ことを特徴とする請求項１または２に記載の点灯装置。
【請求項４】
前記ピーク判定部は、
前記共振状態検出部により検出された電圧が予め定められた電圧閾値より高いか否かを判定するとともに、前記検出された電圧が前記予め定められた電圧閾値より高いと判定した場合、前記共振状態が共振ピークであると判定する
ことを特徴とする請求項３に記載の点灯装置。
【請求項５】
前記ピーク判定部は、
前記共振状態検出部により検出された電流が予め定められた電流閾値より大きいか否かを判定するとともに、前記検出された電流が前記予め定められた電流閾値より大きいと判定した場合、前記共振状態が共振ピークであると判定する
ことを特徴とする請求項３または４に記載の点灯装置。
【請求項６】
前記ピーク判定部は、
前記共振状態が共振ピークであると判定した際に前記周波数制御部が制御していた前記交流電圧の周波数を、共振ピーク周波数として前記記憶部に記憶させ、
前記周波数制御部は、
前記放電灯を点灯開始させる際の前記交流電圧の周波数を、前記記憶部に記憶された前記共振ピーク周波数に制御する
ことを特徴とする請求項１から５の何れか一項に記載の点灯装置。
【請求項７】
前記周波数制御部は、
前記放電灯を点灯開始させる際の前記交流電圧の周波数を、直前に前記放電灯を点灯開始させた際の前記共振ピーク周波数に制御する
ことを特徴とする請求項６に記載の点灯装置。
【請求項８】
前記記憶部には、出荷前の調整において前記共振状態が共振ピークとなった前記交流電圧の周波数である出荷調整時共振ピーク周波数が記憶されており、
前記周波数制御部は、
前記放電灯を点灯開始させる際の前記交流電圧の周波数を、前記記憶部に記憶されている前記出荷調整時共振ピーク周波数に制御する
ことを特徴とする請求項１から７の何れか一項に記載の点灯装置。
【請求項９】
前記共振部は、
前記共振回路として、インダクター（Ｌ）とコンデンサー（Ｃ）とを含むＬＣ直列共振回路、
を備え、
前記周波数制御部の制御により前記電圧変換部において生成された前記交流電圧から、前記ＬＣ直列共振回路により前記放電灯を点灯開始させる電圧を発生させる
ことを特徴とする請求項１から８の何れか一項に記載の点灯装置。
【請求項１０】
請求項１に記載の点灯装置を備える
ことを特徴とするプロジェクター。
【請求項１１】
電圧変換部が、直流電圧を交流電圧に変換する電圧変換手順と、
共振部が、共振回路を有し、前記電圧変換部により変換された前記交流電圧から、放電灯を点灯開始させる電圧を前記共振回路により発生させる共振手順と、
共振状態検出部が、前記共振部の共振状態を検出する共振状態検出手順と、
ピーク判定部が、前記共振状態検出手順により検出された前記共振状態に基づいて前記共振状態が共振ピークであるか否かを判定するピーク判定手順と、
周波数制御部が、記憶部に記憶された周波数に基づいて、前記放電灯を点灯開始させる際の前記交流電圧の周波数を所定の周波数間隔の複数のステップの中から選択して制御する周波数制御手順と、
を有し、
前記周波数制御手順において、
前記放電灯を点灯開始させる際の前記交流電圧の周波数を、前記記憶部に記憶された周波数に制御した場合において前記共振状態が共振ピークとならなかった場合、複数ステップ変更する毎に、当該制御した周波数に対して高い周波数と低い周波数とを交互に繰り返えすように順次変更する
ことを特徴とする点灯方法。
【発明の詳細な説明】
【技術分野】
【０００１】
本発明は、点灯装置、プロジェクター、及び点灯方法に関する。
【背景技術】
【０００２】
プロジェクター等の光源には、高圧水銀ランプ、ハロゲンランプ、またはメタルハライドランプ等の放電灯が用いられている。このような放電灯を点灯装置が点灯開始させる場合、放電灯の絶縁状態にある電極間を絶縁破壊させることにより電極間を放電状態にする必要がある。そのため、点灯装置は、放電灯を点灯開始させる始動時において、放電灯の電極に数ｋＶ程度の交流電圧を印加することが一般的である。例えば、所定の周波数で駆動した交流電圧から、共振インダクタ−（Ｌ）と共振コンデンサー（Ｃ）とを用いたＬＣ直列共振回路により数ｋＶ程度の共振電圧を生じさせて、放電灯の電極に印加する方法がある（例えば、特許文献１参照）。
【０００３】
ところで、点灯装置に備えられている共振回路等の電気的な特性は、個体ごとにばらつきがあるとともに経時変化がある。これにより、点灯装置において放電灯を点灯開始させるために必要な共振電圧が生じるような交流電圧の駆動周波数を予め固定値として設定することは困難である。そのため、例えば、特許文献１に記載の点灯装置においては、放電灯を点灯開始させる際に必要な共振電圧が得られるように、共振電圧が生じる周波数の下限値から上限値の範囲において、駆動周波数の掃引動作（スイープ）を毎回実行する。
【先行技術文献】
【特許文献】
【０００４】
【特許文献１】特開２０１１−２９０１１号公報
【発明の概要】
【発明が解決しようとする課題】
【０００５】
しかしながら、前述の特許文献１に記載の点灯装置では、放電灯を点灯開始させる際に放電灯を点灯させる制御を開始してから、駆動周波数の掃引動作（スイープ）を毎回実行するため、放電灯が点灯するまでに時間がかかるという問題がある。
【０００６】
本発明の目的は、放電灯を点灯させる制御を開始してから放電灯が点灯するまでの時間を短縮することができる点灯装置、プロジェクター、及び点灯方法を提供することにある。
【課題を解決するための手段】
【０００７】
本発明の一態様は、直流電圧を交流電圧に変換する電圧変換部と、前記電圧変換部により変換された前記交流電圧から、放電灯を点灯開始させる電圧を発生させる共振回路を有する共振部と、前記共振部の共振状態を検出する共振状態検出部と、前記共振状態検出部により検出された前記共振状態に基づいて前記共振状態が共振ピークであるか否かを判定するピーク判定部と、記憶部に記憶された周波数に基づいて、前記放電灯を点灯開始させる際の前記交流電圧の周波数を所定の周波数間隔の複数のステップの中から選択して制御する周波数制御部と、を備え、前記周波数制御部は、前記放電灯を点灯開始させる際の前記交流電圧の周波数を、前記記憶部に記憶された周波数に制御した場合において前記共振状態が共振ピークとならなかった場合、複数ステップ変更する毎に、当該制御した周波数に対して高い周波数と低い周波数とを交互に繰り返えすように順次変更することを特徴とする点灯装置である。
これにより、点灯装置は、駆動周波数を共振ピーク周波数に制御するまでの時間を短縮することができる。例えば、点灯装置は、共振ピーク周波数が得られるような駆動周波数の下限値から上限値までを掃引動作（スイープ）させる場合に比較して、少ない回数の周波数の変更により共振ピーク周波数に制御することができる。
また、本発明の他の態様は、電圧変換部が、直流電圧を交流電圧に変換する電圧変換手順と、共振部が、共振回路を有し、前記電圧変換部により変換された前記交流電圧から、放電灯を点灯開始させる電圧を前記共振回路により発生させる共振手順と、共振状態検出部が、前記共振部の共振状態を検出する共振状態検出手順と、ピーク判定部が、前記共振状態検出手順により検出された前記共振状態に基づいて前記共振状態が共振ピークであるか否かを判定するピーク判定手順と、周波数制御部が、記憶部に記憶された周波数に基づいて、前記放電灯を点灯開始させる際の前記交流電圧の周波数を所定の周波数間隔の複数のステップの中から選択して制御する周波数制御手順と、を有し、前記周波数制御手順において、前記放電灯を点灯開始させる際の前記交流電圧の周波数を、前記記憶部に記憶された周波数に制御した場合において前記共振状態が共振ピークとならなかった場合、複数ステップ変更する毎に、当該制御した周波数に対して高い周波数と低い周波数とを交互に繰り返えすように順次変更することを特徴とする点灯方法である。
また、本発明の一態様として、点灯装置は、直流電圧を交流電圧に変換する電圧変換部と、前記電圧変換部により変換された前記交流電圧から、放電灯を点灯開始させる電圧を発生させる共振回路を有する共振部と、記憶部に記憶された周波数に基づいて、前記放電灯を点灯開始させる際の前記交流電圧の周波数を制御する周波数制御部と、を備えることを特徴とする。
この発明によると、周波数制御部は、記憶部に記憶された周波数に基づいて放電灯を点灯開始させる際の交流電圧の周波数を制御する。よって、本発明の点灯装置は、例えば記憶部に記憶された適切な周波数（放電灯を点灯開始させるのに適切な周波数）を用いて駆動することができるため、放電灯を点灯させる制御を開始してから放電灯が点灯するまでの時間を短縮することができる。
【０００８】
また、本発明の点灯装置において、前記共振部の共振状態を検出する共振状態検出部と、前記共振状態検出部により検出された前記共振状態に基づいて前記共振状態が共振ピークであるか否かを判定するピーク判定部と、を備えることを特徴とする。
この発明によると、ピーク判定部は、共振状態検出部が検出した共振部の共振状態に基づいて、共振状態が共振ピークであるか否かを判定する。よって、本発明の点灯装置は、共振部の共振状態が共振ピーク（ピーク電圧）であるか否かを判定することができる。
【０００９】
また、本発明の点灯装置において、前記周波数制御部は、前記放電灯を点灯開始させる際の前記交流電圧の周波数を、前記記憶部に記憶された周波数に制御した場合において前記共振状態が共振ピークとならなかった場合、当該制御した周波数に対して高い周波数または低い周波数において、当該制御した周波数に対して近い周波数から遠い周波数になるように順次変更する。
この発明によると、周波数制御部は、放電灯を点灯開始させる際の共振ピーク周波数を、まず、記憶部に記憶された周波数に制御する。そして、周波数制御部は、記憶部に記憶された周波数制御した場合において共振状態が共振ピークとならなかった場合には、当該制御した周波数に対して高い周波数または低い周波数において、当該制御した周波数に対して近い周波数から遠い周波数になるように順次変更する。これにより、周波数制御部は、共振状態が共振ピークにならなかった場合、制御した周波数（記憶部に記憶された周波数）に対して近い周波数から順次変更することができる。そのため、周波数制御部は、少ない回数の周波数の変更により共振ピーク周波数に制御することができる。よって、本発明の点灯装置は、共振電圧が生じる周波数の下限値から上限値の範囲において、駆動周波数の掃引動作（スイープ）を毎回実行する場合に比較して、放電灯を点灯させる制御を開始してから放電灯が点灯するまでの時間を短縮することができる。
【００１０】
また、本発明の点灯装置において、前記周波数制御部は、前記放電灯を点灯開始させる際の前記交流電圧の周波数、前記記憶部に記憶された周波数に制御した場合において前記共振状態が共振ピークとならなかった場合、当該制御した周波数に対して高い周波数と低い周波数とを交互に繰り返えすように順次変更する。
この発明によると、周波数制御部は、放電灯を点灯開始させる際の共振ピーク周波数を、まず、直前に放電灯を点灯開始させた際の共振ピーク周波数に制御記憶部に記憶された周波数に制御する。そして、周波数制御部は、記憶部に記憶された周波数制御した場合において共振状態が共振ピークとならなかった場合には、当該制御した周波数に対して高い周波数と低い周波数とを交互に繰り返えすように順次変更する。これにより、周波数制御部は、共振状態が共振ピークにならなかった場合、例えば、制御した周波数（記憶部に記憶された周波数）に対して近い周波数から順次、高い周波数と低い周波数とを交互に繰り返えすように変更することができる。そのため、周波数制御部は、少ない回数の周波数の変更により共振ピーク周波数に制御することができる。よって、本発明の点灯装置は、共振電圧が生じる周波数の下限値から上限値の範囲において、駆動周波数の掃引動作（スイープ）を毎回実行する場合に比較して、放電灯を点灯させる制御を開始してから放電灯が点灯するまでの時間を短縮することができる。
【００１１】
また、本発明の点灯装置において、前記共振状態検出部は、前記共振状態として、前記共振部において発生した電圧および電流の何れかを検出する。
この発明によると、共振状態検出部は、共振部の共振状態を、共振部において発生した電圧および電流の何れかにより検出する。よって、本発明の点灯装置は、共振部の共振回路において生じる共振電圧または共振電流を検出することにより、共振部の共振状態を検出することができる。
【００１２】
また、本発明の点灯装置において、前記ピーク判定部は、前記共振状態検出部により検出された電圧が予め定められた電圧閾値より高いか否かを判定するとともに、前記検出された電圧が前記予め定められた電圧閾値より高いと判定した場合、前記共振状態が共振ピークであると判定する。
この発明によると、ピーク判定部は、共振状態検出部により検出された共振部において発生した電圧を予め定められた電圧閾値と比較し、比較結果に応じて共振状態が共振ピークであるか否かを判定する。例えば、ピーク判定部は、検出された電圧が予め定められた電圧閾値より高いと判定した場合、共振状態が共振ピークであると判定する。一方、ピーク判定部は、検出された電圧が予め定められた電圧閾値以下であると判定した場合、共振状態が共振ピークではないと判定する。よって、本発明の点灯装置は、共振部の共振電圧を検出した結果に基づいて、共振部の共振状態が共振ピーク（ピーク電圧）であるか否かを判定することができる。
【００１３】
また、本発明の点灯装置において、前記ピーク判定部は、前記共振状態検出部により検出された電流が予め定められた電流閾値より大きいか否かを判定するとともに、前記検出された電流が前記予め定められた電流閾値より大きいと判定した場合、前記共振状態が共振ピークであると判定する。
この発明によると、ピーク判定部は、共振状態検出部により検出された共振部において発生した電流を予め定められた電流閾値と比較し、比較結果に応じて共振状態が共振ピークであるか否かを判定する。例えば、ピーク判定部は、検出された電流が予め定められた電流閾値より高いと判定した場合、共振状態が共振ピークであると判定する。一方、ピーク判定部は、検出された電流が予め定められた電流閾値以下であると判定した場合、共振状態が共振ピークではないと判定する。よって、本発明の点灯装置は、共振部の共振電流を検出した結果に基づいて、共振部の共振状態が共振ピーク（ピーク電流）であるか否かを判定することができる。
【００１４】
また、本発明の点灯装置において、前記ピーク判定部は、前記共振状態が共振ピークであると判定した際に前記周波数制御部が制御していた前記交流電圧の周波数を、共振ピーク周波数として前記記憶部に記憶させ、前記周波数制御部は、前記放電灯を点灯開始させる際の前記交流電圧の周波数を、前記記憶部に記憶された前記共振ピーク周波数に制御することを特徴とする。
この発明によると、周波数制御部は、放電灯を点灯開始させる際の交流電圧の周波数を、ピーク判定部が共振ピークであると判定して記憶部に記憶させた共振ピーク周波数に制御する。よって、本発明の点灯装置は、放電灯を点灯させる制御を開始してから放電灯が点灯するまでの時間を短縮することができる。
【００１５】
また、本発明の点灯装置において、前記周波数制御部は、前記放電灯を点灯開始させる際の前記交流電圧の周波数を、直前に前記放電灯を点灯開始させた際の前記共振ピーク周波数に制御する。
この発明によると、周波数制御部は、放電灯を点灯開始させる際の交流電圧の周波数を、直前に放電灯を点灯開始させた際の共振ピーク周波数に制御する。よって、本発明の点灯装置は、放電灯を点灯させる制御を開始してから放電灯が点灯するまでの時間を短縮することができる。
【００１６】
また、本発明の点灯装置において、前記記憶部には、出荷前の調整において前記共振状態が共振ピークとなった前記交流電圧の周波数である出荷調整時共振ピーク周波数が記憶されており、前記周波数制御部は、前記放電灯を点灯開始させる際の前記交流電圧の周波数を、前記記憶部に記憶されている前記出荷調整時共振ピーク周波数に制御する。
この発明によると、出荷前の調整において、放電灯を点灯開始させる際の交流電圧の周波数が、初期値として記憶部に記憶される。周波数制御部は、初めて放電灯を点灯開始させる際の交流電圧の周波数を、この初期値に制御する。これにより、本発明の点灯装置は、製品出荷後、初めて放電灯を点灯開始させる際の交流電圧の周波数を、出荷前調整における共振ピーク周波数に制御することができる。よって、本発明の点灯装置は、製品出荷後、初めて放電灯を点灯開始させる際であっても、放電灯を点灯させる制御を開始してから放電灯が点灯するまでの時間を短縮することができる。
【００１７】
また、本発明の点灯装置において、前記共振部は、前記共振回路として、インダクター（Ｌ）とコンデンサー（Ｃ）とを含むＬＣ直列共振回路、を備え、前記制御部の制御により前記交流電圧生成部において生成された前記交流電圧から、前記ＬＣ直列共振回路により前記放電灯を点灯開始させる電圧を発生させる。
この発明によると、共振部は、電圧変換部から供給された交流電圧を、ＬＣ直列共振回路による共振現象を用いて、放電灯を点灯開始させる電圧を発生させる。よって、本発明の点灯装置は、簡易な構成であるＬＣ直列共振回路による共振現象を用いて、放電灯を点灯開始させる電圧を発生させることができる。
【００１８】
また、本発明のプロジェクターは、上述の点灯装置を備えることを特徴とする。
この発明によると、プロジェクターは、上述の点灯装置を備えているため、放電灯を点灯させる制御を開始してから放電灯が点灯するまでの時間を短縮することができる。
【００１９】
また、本発明の点灯方法は、電圧変換部が、直流電圧を交流電圧に変換する電圧変換手順と、
共振部が、共振回路を有し、前記電圧変換部により変換された前記交流電圧から、放電灯を点灯開始させる電圧を前記共振回路により発生させる共振手順と、周波数制御部が、記憶部に記憶された周波数に基づいて、前記放電灯を点灯開始させる際の前記交流電圧の周波数を制御する周波数制御手順と、を有することを特徴とする。
この発明によると、周波数制御部が、放電灯を点灯開始させる際の交流電圧の周波数を、ピーク判定手順において共振ピークであると判定して記憶部に記憶させた共振ピーク周波数に制御する周波数制御手順を実行する。よって、本発明の点灯方法によれば、放電灯を点灯させる制御を開始してから放電灯が点灯するまでの時間を短縮することができる。
【図面の簡単な説明】
【００２０】
【図１】本実施形態に係るプロジェクターの構成を示す模式図である。
【図２】本実施形態に係る点灯装置の概略構成の一例を示す図である。
【図３】放電灯を点灯開始させる際の駆動周波数制御の第１例を説明する図である。
【図４】放電灯を点灯開始させる際の駆動周波数制御の第２例を説明する図である。
【図５】放電灯を点灯開始させる際の駆動周波数制御の第３例を説明する図である。
【図６】放電灯を点灯開始させる際の駆動周波数制御の第４例を説明する図である。
【図７】放電灯を点灯開始させる際の駆動周波数制御の処理の第１例を示すフローチャートである。
【図８】放電灯を点灯開始させる際の駆動周波数制御の処理の第２例を示すフローチャートである。
【発明を実施するための形態】
【００２１】
以下、本発明の一実施形態を図面に基づいて説明する。
まず、本発明の実施形態に係る点灯装置５２を備えているプロジェクター１の構成について説明する。
【００２２】
＜プロジェクター１の構成＞
図１は、本実施形態に係るプロジェクター１の構成を示す模式図である。
図１において、プロジェクター１は、内部に設けられた光源から出射された光束を変調して、画像情報に応じた画像を形成し、当該画像をスクリーン等の被投射面上に拡大投射するものである。このプロジェクター１は、図１に示すように、外装筐体２、投射光学装置３及び画像形成装置４を備えている。この他、プロジェクター１は、当該プロジェクター１内部を冷却する冷却ファン等で構成される冷却ユニット９１、商用交流電流を変換した直流電流をプロジェクター１内部の各構成部材に供給する電源ユニット９２、及び、プロジェクター１全体を制御する制御ユニット９３等を備えている。
外装筐体２は、合成樹脂又は金属により全体略直方体状に形成された筐体であり、前述の各装置３，４及び各ユニット９１〜９３等を内部に収納する。投射光学装置３は、後述する画像形成装置４にて形成された画像を被投射面上に結像させるとともに、当該画像を拡大投射する。この投射光学装置３は、図示を省略するが、筒状の鏡筒内に複数のレンズが収納された組レンズとして構成されている。
画像形成装置４は、前述の制御ユニット９３による制御の下、画像情報に応じた画像を形成する光学装置である。この画像形成装置４は、照明装置５、照明光学装置４１、色分離光学装置４２、リレー光学装置４３及び電気光学装置４４を備え、これらを内部に設定された照明光軸Ａ上の所定位置に収納配置するほか、投射光学装置３を支持する光学部品用筐体４５を備えている。
【００２３】
照明装置５は、光束を出射する。この照明装置５の構成は、後に詳述する。
照明光学装置４１は、一対のレンズアレイ４１１，４１２、偏光変換素子４１３及び重畳レンズ４１４を備えている。色分離光学装置４２は、ダイクロイックミラー４２１，４２２及び反射ミラー４２３を備えている。リレー光学装置４３は、入射側レンズ４３１、リレーレンズ４３３、及び反射ミラー４３２，４３４を備える。電気光学装置４４は、フィールドレンズ４４１と、光変調装置としての３つの液晶パネル４４２（赤色光用、緑色光用、及び青色光用の液晶パネルを、それぞれ４４２Ｒ，４４２Ｇ，４４２Ｂとする）と、それぞれ３つの入射側偏光板４４３、視野角補償板４４４及び出射側偏光板４４５と、色合成光学装置としてのクロスダイクロイックプリズム４４６とを備えている。
【００２４】
このような画像形成装置４では、照明光学装置４１により、照明装置５（光源装置５１）から出射された光束の照明領域内の照度が略均一化され、当該光束は、色分離光学装置４２により、赤（Ｒ），緑（Ｇ），青（Ｂ）の３つの色光に分離される。これら分離された各色光は、各液晶パネル４４２にて画像情報に応じてそれぞれ変調され、色光毎の画像が形成される。そして、当該色光毎の画像は、クロスダイクロイックプリズム４４６にて合成され、投射光学装置３により被投射面上に拡大投射される。
【００２５】
照明装置５は、光源としての放電灯５１１、主反射鏡５１２、副反射鏡５１３、平行化レンズ５１４、及び、これらを内部に収納するハウジング５１５を有する光源装置５１と、放電灯５１１の点灯を制御する点灯装置５２とを備えている。このうち、放電灯５１１は、内部に形成された放電空間内に一対の電極Ｅ（Ｅ１，Ｅ２）（図２参照）及び放電物質が封入された略球状を有する発光部５１１１と、当該発光部５１１１の両端から互いに離間する方向に延出する一対の封止部５１１２，５１１３とを有する。このような放電灯５１１は、例えば、高圧水銀ランプ、ハロゲンランプ、またはメタルハライドランプ等である。
【００２６】
主反射鏡５１２は、レンズアレイ４１１から離間する側の封止部５１１２に接着剤により固定されている。この主反射鏡５１２の内側には、楕円形状の凹面の反射面が形成されており、主反射鏡５１２の第１焦点近傍に配置された発光部５１１１から入射された光を、当該反射面により反射させて、照明光軸Ａ上の第２焦点に収束させる。副反射鏡５１３は、発光部５１１１における封止部５１１３側（主反射鏡５１２側とは反対側）を覆うガラス製の成形品である。この副反射鏡５１３は、発光部５１１１の外形に沿う形状を有し、当該発光部５１１１と対向する面には、反射面が形成されている。そして、副反射鏡５１３は、発光部５１１１から出射された光のうち、主反射鏡５１２側とは反対側に射出された光を、当該反射面により反射させて、主反射鏡５１２の反射面に入射させる。これにより、発光部５１１１から光源装置５１の光束出射方向の先端側に直接射出され、かつ、レンズアレイ４１１に入射しない光の発生を抑えることができる。平行化レンズ５１４は、主反射鏡５１２にて反射されて収束される光束を照明光軸Ａに対して平行化する。
【００２７】
＜点灯装置の構成＞
図２は、本実施形態に係る点灯装置５２の概略構成の一例を示す図である。点灯装置５２は、図２に示すように、前述の電源ユニット９２から供給される直流電圧を交流電圧に変換して放電灯５１１の電極Ｅ（Ｅ１，Ｅ２）に出力し、放電灯５１１を点灯させる駆動部７と、前述の制御ユニット９３の制御下で駆動部７を制御する制御部６と、を備えている。
【００２８】
（駆動部７の構成）
駆動部７は、入力された直流電圧を降圧する降圧部７１、直流電圧から交流電圧に変換する電圧変換部７２、共振回路を有する共振部７３、及び電圧検出部７４（共振状態検出部）を備えている。
降圧部７１は、ダウンコンバーター回路（例えばダウンチョッパー回路）を含んで構成されており、制御部６による制御により、電源ユニット９２に接続される直流電源から入力される直流電圧（例えば、略３８０Ｖ）を、放電灯５１１の点灯に適した電圧（例えば、略５０Ｖ〜１５０Ｖ）に降下させる。
【００２９】
電圧変換部７２は、インバーター回路であり、Ｎチャネル型のＭＯＳＦＥＴ（Ｍｅｔａｌ−Ｏｘｉｄｅ−Ｓｅｍｉｃｏｎｄｕｃｔｏｒ  ＦＥＴ）７２１、ＭＯＳＦＥＴ７２２、ＭＯＳＦＥＴ７２３、及びＭＯＳＦＥＴ７２４を備えたインバーターブリッジ回路と、これらのＭＯＳＦＥＴを駆動するＦＥＴドライバー７２５と、を備えている。このブリッジ回路は、ハイサイド側のＭＯＳＦＥＴ７２１とＭＯＳＦＥＴ７２３のそれぞれのドレインが降圧部７１の正（＋）側の出力端子に接続され、ローサイド側のＭＯＳＦＥＴ７２２とＭＯＳＦＥＴ７２４のそれぞれのソースが降圧部７１の負（−）側の出力端子に接続されている。また、ＭＯＳＦＥＴ７２１とソースと、ＭＯＳＦＥＴ７２２のドレインとがノードＮ１により接続され、同様にＭＯＳＦＥＴ７２３とソースと、ＭＯＳＦＥＴ７２４のドレインとがノードＮ２により接続されている。
【００３０】
また、上述のブリッジ回路には、降圧部７１を介して整流された直流電流が入力される。そして、電圧変換部７２は、制御部６の制御によりＦＥＴドライバー７２５を介してＭＯＳＦＥＴ７２２〜７２４のそれぞれのゲート端子に制御信号としてのゲート電圧が印加されると、一対のＭＯＳＦＥＴ７２１及び７２４を含む経路と、一対のＭＯＳＦＥＴ７２２及び７２３を含む経路とが交互に短絡して電流が流れる。これにより、ノードＮ１とノードＮ２とから共振部７３及び放電灯５１１に向けて交流電流が流れる。すなわち、電圧変換部７２は、入力された直流電圧を、制御部６から入力された制御信号の周波数に応じた交流電圧に変換する。
【００３１】
共振部７３は、共振インダクタンス（Ｌ）７３１と、共振コンデンサー（Ｃ）７３２とを含んで構成されたＬＣ直列共振回路を有している。共振インダクタンス７３１の一端は、電圧変換部７２のノードＮ２に接続され、他端は、共振コンデンサー７３２の一端と、ランプコネクター７７を介して放電灯５１１の電極Ｅ（Ｅ１）と、に接続されている。また、共振コンデンサー７３２の他端は、電圧変換部７２のノードＮ１と、ランプコネクター７７を介して放電灯５１１の電極Ｅ（Ｅ２）と、に接続されている。
【００３２】
そして、共振部７３は、電圧変換部７２により変換された交流電圧から、放電灯５１１を点灯開始させる共振電圧（点灯開始電圧、ランプ始動電圧）を、このＬＣ直列共振回路により発生させる。ここで、共振部７３は、生成した点灯開始電圧を、ランプコネクター７７を介して電極Ｅに出力して、電極Ｅ間（電極Ｅ１と電極Ｅ２との間）の絶縁破壊を行い、放電灯５１１の点灯開始を促す回路である。
【００３３】
例えば、共振部７３において、制御部６が制御する周波数（駆動周波数）に応じて電圧変換部７２において生成された交流電圧が、ＬＣ直列共振回路に印加される。そして、放電灯５１１が点灯していない場合、すなわち放電灯５１１の電極間が高インピーダンスの場合、共振部７３は、ＬＣ直列共振回路において生じる共振現象により共振電圧を発生させ、放電灯５１１を点灯開始させる点灯開始電圧（ランプ始動電圧）として放電灯５１１の電極Ｅに印加する。また、放電灯５１１が点灯している場合、すなわち放電灯５１１の電極間が低インピーダンスの場合、共振部７３は、ＬＣ直列共振回路において共振現象が生じないため、共振電圧よりも低い電圧変換部７２において生成された電圧の交流電圧を、放電灯５１１に印加する。
【００３４】
なお、上述の共振電圧は、共振部７３のＬＣ直列共振回路の共振周波数（または共振周波数の奇数分の１の周波数）の交流電圧がＬＣ直列共振回路に印加された場合、放電灯５１１を点灯開始させるための点灯開始電圧（ランプ始動電圧）を満たすように設定されている。そして、この共振電圧は、制御部６から入力される制御信号の周波数（駆動周波数）が共振周波数（または共振周波数の奇数分の１の周波数）と一致した場合に最大電圧となり、駆動周波数と共振周波数とに差が生じることに応じて低下する。例えば、ＬＣ直列共振回路の共振周波数が３６０ｋＨｚであって、電圧変換部７２のインバーター回路の駆動周波数が１２０ｋＨｚの場合に、放電灯５１１を点灯開始させるための点灯開始電圧（ランプ始動電圧）を満たすような共振電圧（最大電圧、ピーク電圧）となる。
【００３５】
但し、この共振電圧（最大電圧、ピーク電圧）が得られる共振周波数は、点灯装置５２を構成する部品の特性のバラツキや経時変化等により変動する場合がある。すなわち、共振部７３において共振電圧（ピーク電圧）が得られる駆動周波数（電圧変換部７２のインバーター回路を駆動する駆動周波数）は変動する。このため、放電灯５１１を点灯開始させる際に共振電圧（ピーク電圧）が得られるように、点灯装置５２において駆動周波数の制御が必要となる。この制御について、後に詳述する。
【００３６】
電圧検出部７４（共振状態検出部）は、共振部７３の共振インダクタンス７３１と共振コンデンサー７３２との接続点に接続され、共振部７３から放電灯５１１に印加される電圧を検出する。例えば、電圧検出部７４は、共振部７３において発生した共振電圧を検出する。すなわち、電圧検出部７４は、共振部７３の共振状態を検出する。また、電圧検出部７４は、検出結果（電圧値）を制御部６に供給する。
【００３７】
なお、電圧検出部７４に代えて、共振部７３において発生した共振電流を検出する電流検出部を備えた構成としてもよい。すなわち、電圧検出部７４に代えて、電流検出部（共振状態検出部）が、共振部７３において発生した共振電流を検出することにより、共振部７３の共振状態を検出する構成としてもよい。
【００３８】
（制御部６の構成）
制御部６は、前述のように、駆動部７の駆動を制御し、ひいては、放電灯５１１の点灯を制御する。この制御部６は、周波数制御部６１、ピーク判定部６２、及び記憶部６３を備えている。
【００３９】
周波数制御部６１は、電圧変換部７２が生成する交流電圧の周波数を制御する。具体的には、周波数制御部６１は、直流電圧から交流電圧を生成するための電圧変換部７２が有するインバーター回路のＭＯＳＦＥＴ７２１、７２４と、ＭＯＳＦＥＴ７２２、７２３とを交互にオン／オフさせる制御信号の周波数（駆動周波数）を制御する。また、周波数制御部６１は、このインバーター回路を駆動する制御信号を、電圧変換部７２のＦＥＴドライバー７２５を介して、ＭＯＳＦＥＴ７２２〜７２４のそれぞれのゲート端子に出力する。
【００４０】
ピーク判定部６２は、電圧検出部７４により検出された共振状態に基づいて、共振部７３の共振状態が共振ピークであるか否かを判定する。ここで、電圧検出部７４により検出された共振状態が共振ピークであるか否かとは、例えば共振部７３において発生する電圧（共振電圧）がピーク電圧（共振ピーク）であるか否かである。すなわち、ピーク判定部６２は、電圧検出部７４により検出された電圧に基づいて、共振部７３において発生する電圧がピーク電圧であるか否かを判定する。
【００４１】
例えば、ピーク判定部６２は、電圧検出部７４により検出された電圧が予め定められた電圧閾値より高いか否かを判定する。そして、ピーク判定部６２は、検出された電圧が予め定められた電圧閾値より高いと判定した場合、共振部７３において発生した電圧がピーク電圧（共振ピーク）であると判定する。一方、ピーク判定部６２は、検出された電圧が予め定められた電圧閾値以下であると判定した場合、共振部７３において発生した電圧がピーク電圧（共振ピーク）でないと判定する。
【００４２】
ここで、予め定められた電圧閾値とは、共振部７３において発生する電圧がピーク電圧（共振電圧）レベルに達しているか否かを判定するための閾値であり、共振部７３への入力電圧及びＬＣ直列共振回路の部品の定数から算出される共振電圧や放電灯５１１の始動電圧特性等に基づいて予め設定されている。
【００４３】
また、ピーク判定部６２は、電圧検出部７４により検出された電圧がピーク電圧（共振ピーク）であると判定した際に周波数制御部６１が制御していた交流電圧の周波数（駆動周波数）を、共振ピーク周波数として記憶部６３に記憶させる。
【００４４】
なお、電圧検出部７４により検出された共振状態が共振ピークであるか否かとは、例えば共振部７３において発生する電流（共振電流）がピーク電流（共振ピーク）であるか否かであってもよい。すなわち、駆動部７が電圧検出部７４に代えて電流検出部を備え、ピーク判定部６２は、当該電流検出部により検出された電流が予め定められた電流閾値より大きいか否かを判定してもよい。そして、ピーク判定部６２は、検出された電流が予め定められた電流閾値より大きいと判定した場合、共振部７３において発生した電流がピーク電流（共振ピーク）である判定する。一方、ピーク判定部６２は、検出された電流が予め定められた電流閾値以下であると判定した場合、共振部７３において発生した電流がピーク電流（共振ピーク）でないと判定する。
【００４５】
ここで、予め定められた電流閾値とは、共振部７３において発生する電流がピーク電流（共振電流）レベルに達しているか否かを判定するための閾値であり、共振部７３への入力電圧及びＬＣ直列共振回路の部品の定数から算出される共振電流や放電灯５１１の始動電圧特性等に基づいて予め設定されている。
【００４６】
記憶部６３は、不揮発性メモリーであり、制御部６の制御に必要な情報を記憶する。例えば、記憶部６３は、上述の共振部７３において発生する電圧がピーク電圧（共振ピーク）となった際の電圧変換部７２を駆動する駆動周波数を示す情報を、ピーク判定部６２の制御により記憶する。
【００４７】
（点灯開始させる際の駆動周波数の制御）
次に、放電灯５１１を点灯開始させる際の駆動周波数の制御について説明する。
点灯装置５２は、放電灯５１１を点灯開始させる際には、その駆動周波数を決定するために、共振部７３において共振現象が生じる（ピークを判別できる）ものの、放電灯５１１の点灯には至らない程度の電圧（例えば、略２０〜３０Ｖ程度）を共振部７３に印加して駆動する。そして、点灯装置５２は、この駆動によって共振部７３において生じた共振電圧（ピーク電圧）に基づいて駆動周波数を決定した後に、決定した駆動周波数を用いて、放電灯５１１を点灯開始させるのに十分な電圧（例えば、略１００〜１５０Ｖ）を共振部７３に印加して駆動する。これにより、点灯装置５２は、共振部７３において共振現象により生じた電圧（例えば、数ｋＶ）を放電灯５１１に印加する（放電灯５１１を点灯開始させる）。
【００４８】
ところで、上述したように、共振部７３において共振電圧（ピーク電圧）が得られる共振周波数は、点灯装置５２を構成する部品の特性のバラツキや経時変化等により変動する場合がある。そのため、放電灯５１１を点灯開始させる際に共振電圧（ピーク電圧）が得られるように、電圧変換部７２のインバーター回路の駆動周波数を制御する必要がある。以下に、本実施形態の点灯装置５２が、放電灯５１１を点灯開始させる際の駆動周波数の制御について説明する。
【００４９】
点灯装置５２のピーク判定部６２は、電圧検出部７４により検出された電圧に基づいて、共振部７３において発生する電圧がピーク電圧であるか否かを判定する。また、ピーク判定部６２は、このピーク電圧となった際に周波数制御部６１が制御していた交流電圧の周波数（駆動周波数）を共振ピーク周波数として記憶部６３に記憶させる。そして、周波数制御部６１は、放電灯５１１を点灯開始させる際の交流電圧の周波数を、記憶部６３を参照して上述の共振ピーク周波数に制御する。なお、ピーク判定部６２がピーク電圧と判定した際に周波数制御部６１が制御していた交流電圧の周波数（駆動周波数）を「共振ピーク周波数」と称する。
【００５０】
例えば、周波数制御部６１は、放電灯５１１を点灯開始させる際の交流電圧の周波数を、直前に放電灯５１１を点灯開始させた際の共振ピーク周波数（記憶部６３に記憶されている共振ピーク周波数）に制御する。すなわち、周波数制御部６１は、放電灯５１１を点灯開始させる際の交流電圧の周波数を、直前（前回）に点灯させた際に電圧変換部７２を制御していた駆動周波数（交流電圧の周波数）に制御する。
【００５１】
（駆動周波数制御の第１例）
次に、図３を参照して、放電灯５１１を点灯開始させる際の駆動周波数制御の処理について説明する。
図３は、放電灯５１１を点灯開始させる際の駆動周波数制御の一例を説明する図である。図３（ａ）は、横軸が周波数ｆ、縦軸が電圧Ｖであって、電圧変換部７２の駆動周波数ｆｓに対する、共振部７３において発生する電圧（共振電圧、すなわち放電灯５１１の電極Ｅに印加する電圧）Ｖの交流波形を示す概念図である。また、図３（ｂ）は、図３（ａ）の電圧Ｖの波形を実効電圧Ｖｒの波形として示す概念図である。以下の説明において、この共振部７３において発生する電圧の実効電圧Ｖｒを、共振電圧Ｖｒと称する。
【００５２】
この図において、点灯装置５２の共振電圧Ｖｒがピーク電圧になる駆動周波数は、駆動周波数ｆｓ（ｋ）からｆｓ（ｈ）の範囲内でバラツキがある。すなわち、周波数制御部６１は、少なくとも駆動周波数ｆｓ（ｋ）からｆｓ（ｈ）まで駆動周波数を変更可能なように構成されている。また、この図において、共振電圧Ｖｒがピーク電圧となる駆動周波数は、駆動周波数ｆｓ（０）である。一例として、共振部７３のＬＣ直列共振回路の共振周波数が略３６０ｋＨｚであって、駆動周波数ｆｓ（０）が略１２０ｋＨｚ（共振周波数の１／３の周波数）である。
【００５３】
周波数制御部６１は、駆動周波数を、駆動周波数ｆｓ（ｋ）からｆｓ（ｈ）の範囲内における所定の周波数間隔の複数のＳＴＥＰの中から、駆動周波数を選択して変更することが可能である。例えば、この図に示す周波数制御部６１は、電圧変換部７２を駆動する駆動周波数を、「ｆｓ（ｋ）、・・・、ｆｓ（−３）、ｆｓ（−２）、ｆｓ（−１）、ｆｓ（０）、ｆｓ（１）、ｆｓ（−２）、ｆｓ（３）、・・・、ｆｓ（ｈ）」の中から選択した駆動周波数に制御する。ここで、上述の所定の周波数間隔は、例えば、１２０ｋＨｚ程度の駆動周波数に対して１ｋＨｚ程度の周波数間隔である。
【００５４】
ピーク判定部６２は、駆動周波数ｆｓ（０）における共振電圧Ｖｒの値である共振電圧値Ｖｒ（０）が、閾値電圧Ｖｔｈ（ピーク電圧あるか否かを判定する閾値）より高いためピーク電圧（共振電圧）であると判定する。なお、ピーク判定部６２は、駆動周波数ｆｓ（０）以外の駆動周波数における共振電圧Ｖｒの値が、閾値電圧Ｖｔｈ以下であるためピーク電圧（共振電圧）でないと判定する。これにより、周波数制御部６１は、この駆動周波数ｆｓ（０）で電圧変換部７２を制御することにより、放電灯５１１を点灯開始させる。また、ピーク判定部６２は、駆動周波数ｆｓ（０）を示す情報を共振ピーク周波数として記憶部６３に記憶させる。
【００５５】
次に、放電灯５１１を消灯させた後、再び放電灯５１１を点灯開始させる場合、周波数制御部６１は、記憶部６３に共振ピーク周波数として記憶されている駆動周波数ｆｓ（０）を示す情報に応じた周波数（すなわち駆動周波数ｆｓ（０））で電圧変換部７２を制御する。
【００５６】
これにより、周波数制御部６１は、放電灯５１１を点灯開始させる際の交流電圧の周波数を、ピーク判定部６２が共振ピークであると判定して記憶部６３に記憶させた共振ピーク周波数（前回（直前）の共振ピーク周波数）に制御することができる。
【００５７】
（駆動周波数制御の第２例）
次に、前回（直前）の共振ピーク周波数において共振電圧Ｖｒのピーク電圧が得られない場合の駆動周波数制御の処理について説明する。
再び放電灯５１１を点灯開始させる場合、周波数制御部６１が、前回（直前）、放電灯５１１を点灯させた駆動周波数に制御したとしても、共振電圧Ｖｒがピーク電圧にならない場合がある。これは、点灯装置５２を構成する各部品の特性のバラツキ、環境変化、経時変化等によるものである。しかし、この場合であっても、共振周波数（共振ピーク周波数）が極端に変動することは少なく、前回（直前）、放電灯５１１を点灯させた駆動周波数に近い周波数において共振電圧Ｖｒがピーク電圧となる可能性が高い。
【００５８】
そのため、周波数制御部６１は、放電灯５１１を点灯開始させる際の駆動周波数（交流電圧の周波数）を、記憶部６３から読み出した前回の共振ピーク周波数（例えば駆動周波数ｆｓ（０））に制御した場合において共振電圧Ｖｒ（共振部７３において発生する電圧）がピーク電圧とならなかった場合、この共振ピーク周波数に対して近い周波数から遠い周波数になるように順次変更する。例えば、周波数制御部６１は、放電灯５１１を点灯開始させる際の駆動周波数を、記憶部６３から読み出した前回の共振ピーク周波数（例えば駆動周波数ｆｓ（０））に対して高い周波数または低い周波数において、この共振ピーク周波数に対して近い周波数から遠い周波数になるように順次変更する。
【００５９】
また、周波数制御部６１は、放電灯５１１を点灯開始させる際の駆動周波数（交流電圧の周波数）を、記憶部６３から読み出した前回の共振ピーク周波数（例えば駆動周波数ｆｓ（０））に制御した場合において共振電圧Ｖｒ（共振部７３において発生する電圧）がピーク値とならなかった場合、この共振ピーク周波数に対して高い周波数と低い周波数とを交互に繰り返えすように順次変更する。
【００６０】
図４は、前回（直前）の共振ピーク周波数において共振電圧Ｖｒのピーク電圧が得られない場合の駆動周波数制御の一例を説明する図である。この図４は、図３に示す波形に対して、共振電圧Ｖｒがピーク電圧になる駆動周波数が、駆動周波数ｆｓ（０）から駆動周波数ｆｓ（１）にシフトした波形を示している。
【００６１】
例えば、前回の共振ピーク周波数が図３に示すように駆動周波数ｆｓ（０）であって、再び放電灯５１１を点灯開始させる際に、周波数制御部６１が駆動周波数ｆｓ（０）に制御した場合、図４に示すように駆動周波数ｆｓ（０）においてピーク電圧が得られなかった（共振電圧値Ｖｒ（０）が閾値電圧Ｖｔｈ以下であった）とする。
この場合、周波数制御部６１は、駆動周波数ｆｓ（０）に対して近い周波数であるｆｓ（１）又はｆｓ（−１）から順に遠い周波数になるように順次変更する。また、周波数制御部６１は、駆動周波数ｆｓ（０）に対して高い周波数と低い周波数とを交互に繰り返えすように順次変更する。例えば、周波数制御部６１は、駆動周波数ｆｓ（０）、ｆｓ（１）、ｆｓ（−１）、ｆｓ（２）、ｆｓ（−２）、・・・の順に変更する。
【００６２】
また、ピーク判定部６２は、周波数制御部６１が駆動周波数を変更する毎に共振電圧Ｖｒがピーク電圧であるか否かを判定する。そして、周波数制御部６１は、ピーク判定部６２によりピーク電圧であると判定された駆動周波数（図４においては駆動周波数ｆｓ（１））を、放電灯５１１を点灯開始させる駆動周波数として決定（選択）する。
【００６３】
図４の符号Ｓ１０１に示す駆動周波数制御の処理においては、周波数制御部６１は、駆動周波数を、まず駆動周波数ｆｓ（０）に制御し（符号ａ１）、次に駆動周波数ｆｓ（１）に制御する（符号ａ２）。周波数制御部６１は、駆動周波数ｆｓ（１）に制御した時点において共振電圧Ｖｒがピーク電圧になったため、駆動周波数を駆動周波数ｆｓ（１）に決定する。
【００６４】
また、図４の符号Ｓ１０２に示す駆動周波数制御の処理においては、周波数制御部６１は、駆動周波数を、まず駆動周波数ｆｓ（０）に制御し（符号ｂ１）、次に駆動周波数ｆｓ（−１）に制御し（符号ｂ２）、続いて駆動周波数ｆｓ（１）に制御する（符号ｂ３）。周波数制御部６１は、駆動周波数ｆｓ（１）に制御した時点において共振電圧Ｖｒがピーク電圧になったため、駆動周波数を駆動周波数ｆｓ（１）に決定する。
【００６５】
このように、周波数制御部６１は、前回（直前）の共振ピーク周波数（例えば駆動周波数ｆｓ（０））に制御した場合において共振電圧Ｖｒがピーク電圧にならなかった場合、この共振ピーク周波数に対して近い周波数から遠い周波数になるように、且つ高い周波数と低い周波数とを交互に繰り返えすように順次変更する。
これにより、周波数制御部６１は、共振電圧Ｖｒがピーク電圧にならなかった場合、直前の共振ピーク周波数に対して近い周波数から順次、高い周波数と低い周波数とを交互に繰り返えすように変更することができる。そのため、周波数制御部６１は、共振ピーク周波数が得られるような駆動周波数の下限値から上限値までを掃引動作（スイープ）させる場合に比較して、少ない回数の周波数の変更により共振ピーク周波数に制御することができる。よって、図４に示す駆動周波数制御の処理によれば、周波数制御部６１は、駆動周波数を共振ピーク周波数に制御するまでの時間を短縮することができる。
【００６６】
（駆動周波数制御の第３例）
次に、前回（直前）の共振ピーク周波数において共振電圧Ｖｒのピーク電圧が得られない場合の駆動周波数制御の処理について、図４に示す例とは異なる例を説明する。
【００６７】
周波数制御部６１は、駆動周波数を順次変更することにより共振電圧Ｖｒがピーク電圧になった場合、そのピーク電圧となった駆動周波数にすぐに決定しなくてもよい。例えば、周波数制御部６１は、ピーク電圧となった駆動周波数から１ＳＴＥＰ分（所定の周波数間隔分）、更に駆動周波数を変更することにより得られる共振電圧Ｖｒの判定結果と合わせて、駆動周波数を決定してもよい。
【００６８】
図５は、上述の、ピーク電圧と判定された駆動周波数から１ＳＴＥＰ分、更に駆動周波数に変更する制御の一例を説明する図である。この図５は、図３に示す波形に対して、共振電圧Ｖｒがピーク電圧になる駆動周波数が、駆動周波数ｆｓ（０）から駆動周波数ｆｓ（−２）にシフトした波形を示している。
【００６９】
図５の符号Ｓ１０３に示す駆動周波数制御の処理においては、周波数制御部６１は、図４を用いて説明した制御と同様に、駆動周波数ｆｓ（０）に対して近い周波数から遠い周波数となるように、且つ、駆動周波数ｆｓ（０）に対して高い周波数と低い周波数とを交互に繰り返えすように、順次（駆動周波数ｆｓ（０）、ｆｓ（１）、ｆｓ（−１）、ｆｓ（２）、ｆｓ（−２）の順に）変更する（符号ｃ１〜ｃ５参照）。
【００７０】
また、周波数制御部６１は、駆動周波数ｆｓ（−２）に制御した時点において共振電圧Ｖｒがピーク電圧となる。ここで、周波数制御部６１は、さらに駆動周波数ｆｓ（−３）に変更する（符号ｃ６参照）。この図では、駆動周波数ｆｓ（−３）において、共振電圧Ｖｒがピーク電圧にならないため、駆動周波数を駆動周波数ｆｓ（−２）に決定する。
【００７１】
このように、図５に示す駆動周波数制御の処理によれば、周波数制御部６１は、ピーク電圧と判定された駆動周波数から１ＳＴＥＰ分（所定の周波数間隔分）、更に駆動周波数を変更することにより得られる共振電圧Ｖｒの判定結果と合わせて、駆動周波数を決定する。これにより、周波数制御部６１は、例えば、ピーク電圧と判定された駆動周波数における共振電圧Ｖｒの値に対して、上述の更に駆動周波数を変更することにより得られる共振電圧Ｖｒの値が低い場合、ピーク電圧と判定された駆動周波数（共振ピーク周波数）が、最も高い共振電圧Ｖｒになる駆動周波数であると判定することができる。
【００７２】
なお、図５において、閾値電圧Ｖｔｈより高い電圧になる共振電圧Ｖｒが得られる駆動周波数は、１つの周波数（１ＳＴＥＰ）のみであるが、共振条件や１ＳＴＥＰ分の周波数の周波数間隔等によって２つ以上の周波数となる場合もある。このような場合、図５に示す駆動周波数制御の処理によれば、周波数制御部６１は、ピーク電圧と判定された駆動周波数における共振電圧Ｖｒの値に対して、上述の更に駆動周波数を変更することにより得られる共振電圧Ｖｒの値が高い場合、この共振電圧Ｖｒの値が高い方の周波数を共振ピーク周波数とすることもできる。
【００７３】
このように、図５に示す駆動周波数制御の処理によれば、周波数制御部６１は、図３および図４に示す駆動周波数制御の処理に比べて、さらに精度よく共振ピーク周波数に制御することができる。
【００７４】
（駆動周波数制御の第４例）
なお、周波数制御部６１が、図４、図５に示すように駆動周波数ｆｓ（０）に対して高い周波数と低い周波数とを交互に繰り返えすように駆動周波数を順次変更する場合の制御は、１ＳＴＥＰ変更する毎に高い周波数と低い周波数とを交互に繰り返えすように変更する制御に限られるものではない。例えば、周波数制御部６１は、複数ＳＴＥＰ変更する毎に駆動周波数ｆｓ（０）に対して高い周波数と低い周波数とを交互に繰り返えすように変更する制御としてもよい。
【００７５】
図６は、周波数制御部６１が、２ＳＴＥＰ変更する毎に駆動周波数ｆｓ（０）に対して高い周波数と低い周波数とを交互に繰り返えすように変更する制御の一例を説明する図である。この図６は、図５に示す波形と同様に、共振電圧Ｖｒのピーク電圧となる駆動周波数が、駆動周波数ｆｓ（０）から駆動周波数ｆｓ（−２）にシフトした波形を示している。
【００７６】
図６の符号Ｓ１０４に示す駆動周波数制御の処理においては、周波数制御部６１は、駆動周波数ｆｓ（０）に対して高い周波数または低い周波数において、駆動周波数ｆｓ（０）に対して近い周波数から遠い周波数に順次２ＳＴＥＰ変更する毎に、変更する方向を高い周波数または低い周波数に交互に繰り返えすように変更する。この図において、周波数制御部６１は、駆動周波数を、駆動周波数ｆｓ（０）に制御した後、駆動周波数ｆｓ（０）に対して、高い周波数において近い周波数から遠い周波数になるように、駆動周波数ｆｓ（１）、ｆｓ（２）の順に２ＳＴＥＰ変更し、次に、駆動周波数ｆｓ（０）に対して、低い周波数において近い周波数から遠い周波数になるように、ｆｓ（−１）、ｆｓ（−２）の順に２ＳＴＥＰ変更する。つまり、周波数制御部６１は、駆動周波数ｆｓ（０）、ｆｓ（１）、ｆｓ（２）、ｆｓ（−１）、ｆｓ（−２）の順に駆動周波数を変更する（符号ｄ１〜ｄ５参照）。
【００７７】
また、図５を用いて説明した処理と同様に、周波数制御部６１は、駆動周波数ｆｓ（−２）に制御した時点において共振電圧Ｖｒがピーク電圧となる。ここで、周波数制御部６１は、さらに駆動周波数ｆｓ（−３）に変更する（符号ｄ６参照）。この図では、駆動周波数ｆｓ（−３）において、共振電圧Ｖｒがピーク電圧とならないため、駆動周波数を駆動周波数ｆｓ（−２）に決定する。
【００７８】
このように、図６に示す駆動周波数制御の処理によれば、周波数制御部６１は、駆動周波数ｆｓ（０）に対して近い周波数から遠い周波数に順次２ＳＴＥＰ変更する毎に、高い周波数と低い周波数とを交互に繰り返えすように順次変更する。これにより、周波数制御部６１は、図４に示す駆動周波数制御の処理と同様に、共振電圧Ｖｒがピーク電圧にならなかった場合、直前の共振ピーク周波数に対して近い周波数から順次、高い周波数と低い周波数とを交互に繰り返えすように変更することができる。そのため、周波数制御部６１は、共振ピーク周波数が得られるような駆動周波数の下限値から上限値までを掃引動作（スイープ）させる場合に比較して、少ない回数の周波数の変更により共振ピーク周波数に制御することができる。すなわち、周波数制御部６１は、駆動周波数を共振ピーク周波数に制御するまでの時間を短縮することができる。
【００７９】
また、この図６に示す駆動周波数制御の処理によれば、周波数制御部６１は、２ＳＴＥＰ変更する毎に周波数を変更する方向（高い方向、または低い方向）が同じになり、同じ方向に周波数を変更するタイミングでは周波数が安定するまでの時間が短くなるという利点もある。そのため、周波数制御部６１は、高い周波数と低い周波数とを１ＳＴＥＰ変更する毎に交互に繰り返えす制御に比較して、２ＳＴＥＰ変更する毎（または複数ＳＴＥＰ変更する毎）に交互に繰り返えす制御とした場合、周波数を変更する時間を短くすることもできる。
よって、図６に示す駆動周波数制御の処理によれば、周波数制御部６１は、駆動周波数を共振ピーク周波数に制御するまでの時間をさらに短縮することも可能である。
【００８０】
（駆動周波数制御処理の動作の第１例）
次に、図７を参照して、駆動周波数制御の処理の動作について説明する。
図７は、放電灯５１１を点灯開始させる際の駆動周波数制御の処理の第１例を示すフローチャートである。この図７は、図３および図４を用いて説明したように、放電灯５１１を点灯開始させる際に、まず記憶部６３に記憶されている前回の共振ピーク周波数を駆動周波数に制御するとともに、ピーク電圧が得られない場合には、前回の共振ピーク周波数に近い周波数から遠い周波数となるように、且つ、この共振ピーク周波数に対して高い周波数と低い周波数とを交互に繰り返えすように、駆動周波数を順次変更する処理の動作を示している。
【００８１】
まず、周波数制御部６１は、前回（直前）に放電灯５１１を点灯させた際の共振ピーク周波数（ここでは、駆動周波数ｆｓ（０））を記憶部６３から読み出して、電圧変換部７２を駆動する駆動周波数を、読み出した駆動周波数ｆｓ（０）に制御する（電圧変換部７２を駆動周波数ｆｓ（０）で駆動する）。そして、電圧検出部７４は、駆動周波数ｆｓ（０）における共振電圧Ｖｒの値を検出し、検出結果である共振電圧値Ｖｒ（０）をピーク判定部６２に供給する（ステップＳ１１）。
【００８２】
次に、ピーク判定部６２は、検出された共振電圧値Ｖｒ（０）が閾値電圧Ｖｔｈより高いか否かを判定する（ステップＳ１２）。ステップＳ１２において、共振電圧値Ｖｒ（０）が閾値電圧Ｖｔｈより高いと判定された場合、周波数制御部６１は、駆動周波数を駆動周波数ｆｓ（０）に決定し（ステップＳ１３）、ステップＳ２３に処理を進める。ステップＳ２３において、ピーク判定部６２は、共振電圧Ｖｒがピーク電圧となったことにより決定された駆動周波数ｆｓ（０）を、共振ピーク周波数として記憶部６３に記憶させる。
【００８３】
一方、ステップＳ１２において、共振電圧値Ｖｒ（０）が閾値電圧Ｖｔｈ以下であると判定された場合、周波数制御部６１は、駆動周波数を変更する。具体的には、周波数制御部６１は、まず、駆動周波数の開始点（駆動周波数ｆｓ（０））を設定する（ｈ＝０、ｋ＝０（ｈ及びｋは自然数）：ステップＳ１４）。次に、周波数制御部６１は、駆動周波数を１ＳＴＥＰ高い周波数に設定（ｈ＝ｈ＋１：ステップＳ１５）する。
【００８４】
続いて、周波数制御部６１は、電圧変換部７２を駆動する駆動周波数を、設定した駆動周波数ｆｓ（ｈ）に制御する（例えば、駆動周波数ｆｓ（０）よりも１ＳＴＥＰ高い周波数である駆動周波数ｆｓ（１）に制御する）。そして、電圧検出部７４は、駆動周波数ｆｓ（ｈ）における共振電圧Ｖｒを検出し、検出結果である共振電圧値Ｖｒ（ｈ）をピーク判定部６２に供給する（ステップＳ１６）。
【００８５】
次に、ピーク判定部６２は、検出された共振電圧値Ｖｒ（ｈ）が閾値電圧Ｖｔｈより高いか否かを判定する（ステップＳ１７）。ステップＳ１７において、共振電圧値Ｖｒ（ｈ）が閾値電圧Ｖｔｈより高いと判定された場合、周波数制御部６１は、駆動周波数を駆動周波数ｆｓ（ｈ）に決定し（ステップＳ１８）、ステップＳ２３に処理を進める。ステップＳ２３において、ピーク判定部６２は、共振電圧Ｖｒがピーク電圧となったことにより決定された駆動周波数ｆｓ（ｈ）を、共振ピーク周波数として記憶部６３に記憶させる。
【００８６】
一方、ステップＳ１７において、共振電圧値Ｖｒ（ｈ）が閾値電圧Ｖｔｈ以下であると判定された場合、周波数制御部６１は、駆動周波数を駆動周波数の開始点（駆動周波数ｆｓ（０）、ｋ＝０）より１ＳＴＥＰ低い周波数に設定（ｋ＝ｋ−１：ステップＳ１９）する。
【００８７】
次に、周波数制御部６１は、電圧変換部７２を駆動する駆動周波数を、設定した駆動周波数ｆｓ（ｋ）に制御する（例えば、駆動周波数ｆｓ（０）よりも１ＳＴＥＰ低い周波数である駆動周波数ｆｓ（−１）に制御する）。そして、電圧検出部７４は、駆動周波数ｆｓ（ｋ）における共振電圧Ｖｒを検出し、検出結果である共振電圧値Ｖｒ（ｋ）をピーク判定部６２に供給する（ステップＳ２０）。
【００８８】
続いて、ピーク判定部６２は、検出された共振電圧値Ｖｒ（ｋ）が閾値電圧Ｖｔｈより高いか否かを判定する（ステップＳ２１）。ステップＳ２１において、共振電圧値Ｖｒ（ｋ）が閾値電圧Ｖｔｈより高いと判定された場合、周波数制御部６１は、駆動周波数を駆動周波数ｆｓ（ｋ）に決定し（ステップＳ２２）、ステップＳ２３に処理を進める。ステップＳ２３において、ピーク判定部６２は、共振電圧Ｖｒがピーク電圧となったことにより決定された駆動周波数ｆｓ（ｋ）を、共振ピーク周波数として記憶部６３に記憶させる。
【００８９】
一方、ステップＳ２１において、共振電圧値Ｖｒ（ｋ）が閾値電圧Ｖｔｈ以下であると判定された場合、周波数制御部６１は、ステップＳ１５に処理を戻して、駆動周波数を、さらに１ＳＴＥＰ分高い周波数（例えば、駆動周波数ｆｓ（１）よりも１ＳＴＥＰ高い周波数である駆動周波数ｆｓ（２））に設定する。以降、周波数制御部６１は、ピーク判定部６２により共振電圧Ｖｒの値（共振電圧値Ｖｒ（ｈ）または共振電圧値Ｖｒ（ｋ））が閾値電圧Ｖｔｈより高いと判定されるまで上述の処理を繰り返す。
【００９０】
このように、周波数制御部６１は、放電灯５１１を点灯開始させる際の共振ピーク周波数を、まず、前回（直前）に放電灯５１１を点灯開始させた際の共振ピーク周波数に制御し、この直前の共振ピーク周波数において共振状態が共振ピークとならなかった場合には、前回（直前）の共振ピーク周波数に対して近い周波数から遠い周波数になるように順次変更する。また、周波数制御部６１は、この直前の共振ピーク周波数において共振状態が共振ピークとならなかった場合には、前回（直前）の共振ピーク周波数に対して高い周波数と低い周波数とを交互に繰り返えすように順次変更する。
【００９１】
これにより、周波数制御部６１、共振状態が共振ピークにならなかった場合、前回（直前）の共振ピーク周波数に対して近い周波数から順次、高い周波数と低い周波数とを交互に繰り返えすように変更することができる。そのため、周波数制御部６１は、少ない回数の周波数の変更により共振ピーク周波数に制御することができる。よって、点灯装置５２は、共振ピーク周波数が得られるような駆動周波数の下限値から上限値までの範囲において、駆動周波数の掃引動作（スイープ）を毎回実行する場合に比較して、放電灯５１１を点灯させる制御を開始してから放電灯５１１が点灯するまでの時間を短縮することができる。
【００９２】
（駆動周波数制御処理の動作の第２例）
次に、図８を参照して、図７に示す処理とは異なる駆動周波数制御の処理の動作について説明する。
図３〜７を用いて説明した駆動周波数制御の処理は、前回（直前）の共振ピーク周波数において共振電圧Ｖｒのピーク電圧が得られない場合に、予め設定された順序に従って順次駆動周波数を変更する処理であったが、共振部７３の共振状態に応じて、駆動周波数を変更する処理としてもよい。
【００９３】
なお、共振部７３の共振状態は、共振部７３において発生する電圧（共振電圧、共振電圧Ｖｒ）の値により表される状態であってもよいし、電流（共振電流）の値により表される状態であってもよい。また、ピーク判定部６２が記憶部６３に記憶させる共振周波数を示す情報は、周波数を示す情報に代えて、周期を示す情報としてもよい。
【００９４】
図８は、放電灯５１１を点灯開始させる際の駆動周波数制御の処理の第２例を示すフローチャートである。この図に示す処理は、上述したように共振部７３の共振状態に応じて、駆動周波数を変更する処理を示している。また、この図に示す処理は、共振部７３の共振状態を共振部７３において発生する電流（共振電流）の値とし、ピーク判定部６２が記憶部６３に記憶させる共振周波数を示す情報を、周期を示す情報とした処理の例である。
なお、以下の説明において、共振部７３において発生する電流（共振電流）を共振電流Ｉｒと称し、前回（直前）の共振ピーク周波数を周期Ｔｓ、周期Ｔｓで駆動したときの共振電流の値を共振電流値Ｉｒ（０）とする。
【００９５】
また、共振部７３において発生する共振電流Ｉｒの値を検出する場合、点灯装置５２が、電圧検出部７４に代えて電流検出部を備えている構成としてもよいが、電圧検出部７４が共振電流Ｉｒの値を検出する構成としてもよい。以下の説明においては、電圧検出部７４が共振部７３において発生する共振電流Ｉｒの値の検出する構成として説明する。
【００９６】
まず、周波数制御部６１は、前回（直前）に放電灯５１１を点灯させた際の共振ピーク周波数を示す駆動周期（ここでは、周期Ｔｓ）を記憶部６３から読み出して、電圧変換部７２を駆動する駆動周波数を、読み出した周期Ｔｓによる周波数に制御する（電圧変換部７２を周期Ｔｓで駆動する）。そして、電圧検出部７４は、周期Ｔｓにおける共振電流Ｉｒの値を検出し、検出結果である共振電流値Ｉｒ（０）をピーク判定部６２に供給する（ステップＳ３１）。
【００９７】
次に、ピーク判定部６２は、検出された共振電流値Ｉｒ（０）が閾値電流Ｉｔｈより大きいか否かを判定する（ステップＳ３２）。ステップＳ３２において、共振電流値Ｉｒ（０）が閾値電流Ｉｔｈより大きいと判定された場合、周波数制御部６１は、駆動周波数を周期Ｔｓによる周波数に決定し（駆動周期を周期Ｔｓに決定し）（ステップＳ３３）、ステップＳ５１に処理を進める。ステップＳ５１において、ピーク判定部６２は、共振電流Ｉｒがピーク電流となったことにより決定された周期Ｔｓを、共振ピーク周波数を示す駆動周期として記憶部６３に記憶させる。
【００９８】
一方、ステップＳ３２において、共振電流値Ｉｒ（０）が閾値電流Ｉｔｈ以下であると判定された場合、周波数制御部６１は、駆動周波数を「周期Ｔｓ＋ｔ」による周波数に変更する（電圧変換部７２を「周期Ｔｓ＋ｔ」で駆動する）。ここで、「周期Ｔｓ＋ｔ」は、駆動周期を周期Ｔｓから１ＳＴＥＰ分増加させた周期である。そして、電圧検出部７４は、「周期Ｔｓ＋ｔ」における共振電流Ｉｒの値を検出し、検出結果である共振電流値Ｉｒ（＋１）をピーク判定部６２に供給する（ステップＳ３４）。
【００９９】
次に、ピーク判定部６２は、共振電流値Ｉｒ（０）が共振電流値Ｉｒ（＋１）より大きいか否かを判定する（ステップＳ３５）。ステップＳ３５において、共振電流値Ｉｒ（０）が共振電流値Ｉｒ（＋１）以下であると判定された場合、すなわち、駆動周期を周期Ｔｓから「周期Ｔｓ＋ｔ」に変更することにより共振電流Ｉｒの値が増加した場合、周波数制御部６１は、ステップＳ３６に処理を進め、駆動周期を増加させる方向に変更する処理を実行する。
【０１００】
まず、周波数制御部６１は、駆動周期の開始点（「周期Ｔｓ＋ｎ×ｔ」、ｎ＝１：ｎは自然数、周期ｔは１ＳＴＥＰ分の周期間隔）を設定する（ステップＳ３６）。次に、周波数制御部６１は、「周期Ｔｓ＋ｎ×ｔ」による駆動周波数が予め設定された掃引周波数の範囲を超えているか否か（ｎの値が最大値より大きいか否か）を判定する（ステップＳ３７）。
【０１０１】
ステップＳ３７において、「周期Ｔｓ＋ｎ×ｔ」による駆動周波数が予め設定された掃引周波数の範囲（駆動周波数を変更可能な周波数の範囲）を超えていない（ｎの値が最大値以下）と判定された場合、周波数制御部６１は、ｎの値に１を加算（ｎ＝ｎ＋１）する（ステップＳ３８）。次に、周波数制御部６１は、駆動周波数を「周期Ｔｓ＋ｎ×ｔ」（例えば「周期Ｔｓ＋２×ｔ」）による周波数に変更する（電圧変換部７２を「周期Ｔｓ＋ｎ×ｔ」（例えば「周期Ｔｓ＋２×ｔ」）で駆動する）。そして、電圧検出部７４は、「周期Ｔｓ＋ｎ×ｔ」（例えば「周期Ｔｓ＋２×ｔ」）における共振電流Ｉｒの値を検出し、検出結果である共振電流値Ｉｒ（＋ｎ）（例えば共振電流値Ｉｒ（＋２））をピーク判定部６２に供給する（ステップＳ３９）。
【０１０２】
続いて、ピーク判定部６２は、共振電流値Ｉｒ（＋ｎ−１）が共振電流値Ｉｒ（＋ｎ）より大きいか否かを判定する（ステップＳ４０）。ステップＳ４０において、共振電流値Ｉｒ（＋ｎ−１）が共振電流値Ｉｒ（＋ｎ）以下であると判定された場合、すなわち、駆動周期を「周期Ｔｓ＋（ｎ−１）×ｔ」から「周期Ｔｓ＋ｎ×ｔ」に変更することにより共振電流Ｉｒの値が増加した場合、周波数制御部６１は、ステップＳ３７に処理を戻し、ｎの値が最大値以下であれば駆動周期をさらに増加させる方向に変更する。
例えば、ステップＳ４０において、共振電流値Ｉｒ（＋１）が共振電流値Ｉｒ（＋２）以下であると判定された場合、すなわち、駆動周期を「周期Ｔｓ＋ｔ」から「周期Ｔｓ＋２×ｔ」に変更することにより共振電流Ｉｒの値が増加した場合、周波数制御部６１は、ステップＳ３７に処理を戻し、駆動周期を「周期Ｔｓ＋３×ｔ」に変更する。
【０１０３】
一方、ステップＳ４０において、共振電流値Ｉｒ（＋ｎ−１）が共振電流値Ｉｒ（＋ｎ）より大きいと判定された場合、すなわち、駆動周期を「周期Ｔｓ＋（ｎ−１）×ｔ」から「周期Ｔｓ＋ｎ×ｔ」に変更することにより共振電流Ｉｒの値が減少した場合、周波数制御部６１は、駆動周波数を「周期Ｔｓ＋（ｎ−１）×ｔ」による周波数に決定し（駆動周期を「周期Ｔｓ＋（ｎ−１）×ｔ」に決定し）（ステップＳ３３）、ステップＳ５１に処理を進める。すなわち、周波数制御部６１は、「周期Ｔｓ＋（ｎ−１）×ｔ」による周波数を共振ピーク周波数であると判定して、駆動周波数を「周期Ｔｓ＋（ｎ−１）×ｔ」による周波数に設定する。
【０１０４】
また、ステップＳ３７において、「周期Ｔｓ＋ｎ×ｔ」による駆動周波数が予め設定された掃引周波数の範囲を超えている（ｎの値が最大値より大きい）と判定された場合、周波数制御部６１は、駆動周波数を周期Ｔｓによる周波数に決定し（駆動周期を周期Ｔｓに決定し）（ステップＳ４４）、ステップＳ５１に処理を進める。すなわち、周波数制御部６１は、掃引周波数の範囲内に共振ピーク周波数を検出できなかったため、記憶部６３に記憶されている前回（直前）の共振ピーク周波数に駆動周波数を設定する。
【０１０５】
一方、ステップＳ３５において、共振電流値Ｉｒ（０）が共振電流値Ｉｒ（＋１）より大きいと判定された場合、すなわち、駆動周期を周期Ｔｓから「周期Ｔｓ＋ｔ」に変更することにより共振電流Ｉｒの値が減少した場合、周波数制御部６１は、ステップＳ４２に処理を進め、駆動周期を減少させる方向に変更する処理を実行する。
【０１０６】
ステップＳ４２において、周波数制御部６１は、駆動周波数を「周期Ｔｓ−ｔ」による周波数に変更する（電圧変換部７２を「周期Ｔｓ−ｔ」で駆動する）。ここで、「周期Ｔｓ−ｔ」は、駆動周期を周期Ｔｓから１ＳＴＥＰ分減少させた周期である。そして、電圧検出部７４は、「周期Ｔｓ−ｔ」における共振電流Ｉｒの値を検出し、検出結果である共振電流値Ｉｒ（−１）をピーク判定部６２に供給する。
【０１０７】
次に、ピーク判定部６２は、共振電流値Ｉｒ（０）が共振電流値Ｉｒ（−１）より大きいか否かを判定する（ステップＳ４３）。ステップＳ４３において、共振電流値Ｉｒ（０）が共振電流値Ｉｒ（−１）より大きいと判定された場合、すなわち、駆動周期を周期Ｔｓから「周期Ｔｓ−ｔ」に変更することにより共振電流Ｉｒの値が減少した場合、周波数制御部６１は、駆動周波数を周期Ｔｓによる周波数に決定し（駆動周期を周期Ｔｓに決定し）（ステップＳ４４）、ステップＳ５１に処理を進める。すなわち、周波数制御部６１は、駆動周波数を増加させた場合、及び減少させた場合の何れにおいても、共振電流Ｉｒの値が共振電流値Ｉｒ（０）より小さい値となるため、記憶部６３に記憶されている前回（直前）の共振ピーク周波数に駆動周波数を設定する。
【０１０８】
一方、ステップＳ４３において、共振電流値Ｉｒ（０）が共振電流値Ｉｒ（−１）以下であると判定された場合、すなわち、駆動周期を周期Ｔｓから「周期Ｔｓ−ｔ」に変更することにより共振電流Ｉｒの値が増加した場合、周波数制御部６１は、ステップＳ４５に処理を進め、駆動周期を減少させる方向に変更する処理を実行する。
【０１０９】
まず、周波数制御部６１は、駆動周期の開始点（「周期Ｔｓ−ｍ×ｔ」、ｍ＝１：ｍは自然数）を設定する（ステップＳ４５）。次に、周波数制御部６１は、「周期Ｔｓ−ｍ×ｔ」による駆動周波数が予め設定された掃引周波数の範囲を超えているか否か（ｍの値が最大値より大きいか否か）を判定する（ステップＳ４６）。
【０１１０】
ステップＳ４６において、「周期Ｔｓ−ｍ×ｔ」による駆動周波数が予め設定された掃引周波数の範囲を超えていない（ｍの値が最大値以下）と判定された場合、周波数制御部６１は、ｍの値に１を加算（ｍ＝ｍ＋１）する（ステップＳ４７）。次に、周波数制御部６１は、駆動周波数を「周期Ｔｓ−ｍ×ｔ」（例えば「周期Ｔｓ−２×ｔ」）による周波数に変更する（電圧変換部７２を「周期Ｔｓ−ｍ×ｔ」（例えば「周期Ｔｓ−２×ｔ」）で駆動する）。そして、電圧検出部７４は、「周期Ｔｓ−ｍ×ｔ」（例えば「周期Ｔｓ−２×ｔ」）における共振電流Ｉｒの値を検出し、検出結果である共振電流値Ｉｒ（−ｍ）（例えば共振電流値Ｉｒ（−２））をピーク判定部６２に供給する（ステップＳ４８）。
【０１１１】
続いて、ピーク判定部６２は、共振電流値Ｉｒ（−ｍ＋１）が共振電流値Ｉｒ（−ｍ）より大きいか否かを判定する（ステップＳ４９）。ステップＳ４９において、共振電流値Ｉｒ（−ｍ＋１）が共振電流値Ｉｒ（−ｍ）以下であると判定された場合、すなわち、駆動周期を「周期Ｔｓ−（ｍ−１）×ｔ」から「周期Ｔｓ−ｍ×ｔ」に変更することにより共振電流Ｉｒの値が増加した場合、周波数制御部６１は、ステップＳ４６に処理を戻し、ｍの値が最大値以下であれば駆動周期をさらに減少させる方向に変更する。
例えば、ステップＳ４９において、共振電流値Ｉｒ（−１）が共振電流値Ｉｒ（−２）以下であると判定された場合、すなわち、駆動周期を「周期Ｔｓ−ｔ」から「周期Ｔｓ−２×ｔ」に変更することにより共振電流Ｉｒの値が増加した場合、周波数制御部６１は、ステップＳ４６に処理を戻し、駆動周期を「周期Ｔｓ−３×ｔ」に変更する。
【０１１２】
一方、ステップＳ４９において、共振電流値Ｉｒ（−ｍ＋１）が共振電流値Ｉｒ（−ｍ）より大きいと判定された場合、すなわち、駆動周期を「周期Ｔｓ−（ｍ−１）×ｔ」から「周期Ｔｓ−ｍ×ｔ」に変更することにより共振電流Ｉｒの値が減少した場合、周波数制御部６１は、駆動周波数を「周期Ｔｓ−（ｍ−１）×ｔ」による周波数に決定し（駆動周期を「周期Ｔｓ−（ｍ−１）×ｔ」に決定し）（ステップＳ５０）、ステップＳ５１に処理を進める。すなわち、周波数制御部６１は、「周期Ｔｓ−（ｍ−１）×ｔ」による周波数を共振ピーク周波数であると判定して、駆動周波数を「周期Ｔｓ−（ｍ−１）×ｔ」による周波数に設定する。
【０１１３】
また、ステップＳ４６において、「周期Ｔｓ−ｍ×ｔ」による駆動周波数が予め設定された掃引周波数の範囲を超えている（ｍの値が最大値より大きい）と判定された場合、周波数制御部６１は、駆動周波数を周期Ｔｓによる周波数に決定し（駆動周期を周期Ｔｓに決定し）（ステップＳ４４）、ステップＳ５１に処理を進める。すなわち、周波数制御部６１は、掃引周波数の範囲内に共振ピーク周波数を検出できなかったため、記憶部６３に記憶されている前回（直前）の共振ピーク周波数に駆動周波数を設定する。
【０１１４】
ステップＳ５１において、ピーク判定部６２は、ステップＳ３３、Ｓ４１、Ｓ４４、又はＳ５０において決定された駆動周期を、共振ピーク周波数となる駆動周期として記憶部６３に記憶させて処理を終了する。
【０１１５】
このように、図８に示す駆動周波数制御の処理によれば、周波数制御部６１は、前回（直前）の共振ピーク周波数において共振電流Ｉｒのピーク電流が得られない場合に、予め設定された順序に従って順次駆動周波数を変更する処理ではなく、共振部７３の共振状態に応じて、駆動周波数を変更する。例えば、周波数制御部６１は、駆動周波数を１ＳＴＥＰ変更する毎に得られる共振電流Ｉｒの値の大きさに基づいて、共振電流Ｉｒの値の大きさが大きくなる方向に駆動周波数を変更する。そして、周波数制御部６１は、共振電流Ｉｒの値の大きさが、１ＳＴＥＰ前の駆動周波数における共振電流Ｉｒの値よりも小さくなった場合（ピーク判定部６２により小さいと判定された場合）、１ＳＴＥＰ前の駆動周波数を、共振電流Ｉｒのピーク電流となる共振ピーク周波数であると判定して設定する。
【０１１６】
これにより、図８に示す駆動周波数制御の処理によれば、周波数制御部６１は、駆動周波数を変更する毎に得られる共振電流Ｉｒの変化に基づいて、次に変更する駆動周波数を設定することができる。よって、周波数制御部６１は、共振部７３の共振状態の変化に基づいて駆動周波数を変更するため、駆動周波数を共振ピーク周波数となる周波数に制御するのに要する時間を短縮することができる。なお、前述したように、共振電流Ｉｒを検出する処理に代えて、共振電圧Ｖｒを検出する処理としてもよい。
【０１１７】
（出荷前の調整）
なお、点灯装置５２が初めて放電灯５１１を点灯開始させる制御を行う場合には、前回の共振ピーク周波数が記憶部６３に記憶されていない。そのため、点灯装置５２を備えた機器（例えばプロジェクター１）が出荷される前に行われる調整において、点灯装置５２が、放電灯５１１を点灯開始させる制御を実行し、この出荷前の調整において得られた共振ピーク周波数が記憶部６３に記憶されてもよい。例えば、点灯装置５２は、調整用の治具からの制御コマンドに応じて駆動周波数制御（例えば駆動周波数の掃引動作）を実行し、共振ピーク周波数を記憶部６３に記憶してもよい。
【０１１８】
記憶部６３には、出荷前の調整において、共振部７３の共振状態が共振ピークとなった交流電圧の周波数である出荷調整時共振ピーク周波数が記憶されてもよい。そして、点灯装置５２が初めて放電灯５１１を点灯開始させる場合、周波数制御部６１は、放電灯５１１を点灯開始させる際の交流電圧の周波数を、記憶部６３に記憶されている上述の出荷調整時共振ピーク周波数に制御する構成としてもよい。
【０１１９】
以上説明してきたように、本実施形態によれば、点灯装置５２の周波数制御部６１は、放電灯５１１を点灯開始させる際の交流電圧の周波数を、ピーク判定部６２が共振ピークであると判定して記憶部６３に記憶させた共振ピーク周波数に制御する。よって、本発明の点灯装置５２は、放電灯５１１を点灯させる制御を開始してから放電灯が点灯するまでの時間を短縮することができる。また、本発明のプロジェクター１は、点灯装置５２を備えているため、放電灯５１１を点灯させる制御を開始してから放電灯が点灯するまでの時間を短縮することができる。
【０１２０】
なお、周波数制御部６１は、初めて放電灯５１１を点灯開始させる場合には、上述の出荷調整時共振ピーク周波数に代えて、予め算出された共振ピーク周波数の設計値に基づく駆動周波数に制御してもよいし、バラツキにより共振ピークとなる可能性がある周波数の範囲内の下限値又は上限地から駆動周波数を掃引動作させてもよい。
【０１２１】
なお、ピーク判定部６２は、共振ピークであると判定した駆動周波数を共振ピーク周波数として記憶部６３に記憶させる場合、既に記憶されている前回のデータに対して上書きして記憶させてもよいし、追加して（前回のデータを残して）記憶させてもよい。
【０１２２】
また、ピーク判定部６２が、共振ピーク周波数を追加して（前回のデータを残して）記憶部６３に記憶させる場合、直前のデータのみに基づいて共振ピーク周波数を決定してもよいし、過去の複数回のデータに基づいて共振ピーク周波数を決定してもよい。
【０１２３】
また、上記実施形態における電圧変換部７２が、直流電圧から交流電圧に変換するためのフルブリッジ型インバーター回路を備えている構成について説明したが、本発明はこれに限られるものではなく、ハーフブリッジ型インバーター回路等、その他のインバーター回路を備えてもよい。また、上記実施形態における共振部７３が、ＬＣ直列共振回路を備えている構成について説明したが、本発明はこれに限られるものではなく、その他の共振回路を備えてもよい。
【０１２４】
また、上記実施形態では、プロジェクター１は、３つの液晶パネル４４２Ｒ，４４２Ｇ，４４２Ｂを備えるとしたが、本発明はこれに限られるものではない。例えば、２つ以下、あるいは、４つ以上の液晶パネルを用いたプロジェクターにも、本発明を適用可能である。また、上記実施形態では、画像形成装置４は平面視略Ｌ字形状を有した構成を説明したが、これに限らず、例えば、平面視略Ｕ字形状を有した構成を採用してもよい。また、上記実施形態では、光束入射面と光束射出面とが異なる透過型の液晶パネル４４２を用いていたが、光入射面と光射出面とが同一となる反射型の液晶パネルを用いてもよい。
【０１２５】
また上記実施形態では、光変調装置として液晶パネル４４２を備えたプロジェクター１を例示したが、入射光束を変調して画像情報に応じた画像を形成可能な光変調装置であれば、他の構成の光変調装置を採用してもよい。例えば、マイクロミラーを用いたデバイスなど、液晶以外の光変調装置を用いたプロジェクターにも、本発明を適用することも可能である。このような光変調装置を用いた場合、光束入射側及び光束射出側の偏光板４４３，４４５は省略できる。
【０１２６】
また上記実施形態では、プロジェクター１は、被投射面に対する画像の投射方向と、当該画像の観察方向とが略同じであるフロントタイプのプロジェクターとして構成したが、本発明はこれに限られない。例えば、投射方向と観察方向とがそれぞれ反対方向となるリアタイプのプロジェクターにも適用できる。さらに、上記実施形態では、放電灯５１１及び点灯装置５２を備えた照明装置５を、プロジェクター１に採用したが、本発明はこれに限られない。すなわち、このような照明装置５を、屋内または屋外における照明のための照明機器やプロジェクター以外の電子機器に採用することも可能である。
【０１２７】
なお、本実施形態における制御部６は、専用のハードウェアにより実現されるものであってもよく、また、メモリー及びＣＰＵ（Central Processing Unit）により構成され、上述の制御部６の各部の機能を実現するためのプログラムをメモリーにロードして実行することによりその機能を実現させるものであってもよい。
【０１２８】
また、上述の制御部６における各部の機能を実現するためのプログラムをコンピューター読み取り可能な記録媒体に記録して、この記録媒体に記録されたプログラムをコンピューターシステムに読み込ませ、実行することにより制御部６の各部の処理を行ってもよい。なお、ここでいう「コンピューターシステム」とは、ＯＳや周辺機器等のハードウェアを含むものとする。
【０１２９】
また、「コンピューターシステム」は、ＷＷＷシステムを利用している場合であれば、ホームページ提供環境（あるいは表示環境）も含むものとする。
また、「コンピューター読み取り可能な記録媒体」とは、フレキシブルディスク、光磁気ディスク、ＲＯＭ、ＣＤ−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムを送信する場合の通信線のように、短時間の間、動的にプログラムを保持するもの、その場合のサーバーやクライアントとなるコンピューターシステム内部の揮発性メモリーのように、一定時間プログラムを保持しているものも含むものとする。また上記プログラムは、前述した機能の一部を実現するためのものであってもよく、さらに前述した機能をコンピューターシステムにすでに記録されているプログラムとの組み合わせで実現できるものであってもよい。
【０１３０】
以上、この発明の実施形態を図面を参照して詳述してきたが、具体的な構成はこの実施形態に限られるものではなく、この発明の要旨を逸脱しない範囲の設計等も含まれる。
【符号の説明】
【０１３１】
１…プロジェクター、３…投射光学装置、５…照明装置、６…制御部、７…駆動部、５２…点灯装置、５１１…放電灯、６１…周波数制御部、６２…ピーク判定部、６３…記憶部、７１…降圧部、７２…電圧変換部、７３…共振部、７４…電圧検出部、７７…ランプコネクター、７２１，７２２、７２３，７２４…ＭＯＳＦＥＴ、７２５…ＦＥＴドライバー、７３１…共振インダクタンス、７３２…共振コンデンサー、Ｅ（Ｅ１，Ｅ２）…電極
【図１】
0006003074.tif 000002
【図２】
0006003074.tif 000003
【図３】
0006003074.tif 000004
【図４】
0006003074.tif 000005
【図５】
0006003074.tif 000006
【図６】
0006003074.tif 000007
【図７】
0006003074.tif 000008
【図８】
0006003074.tif 000009